(57)【特許請求の範囲】
【請求項１】
平坦な上面と平坦な底面とが第１方向で並列され、
前記上面には、前記第１方向に直交する第２方向に伸びつつ前記第１方向に凹む２つの上面リブ溝が設けられ、
前記底面には、前記第１方向に突出する４つの干渉突起が設けられ、
前記両上面リブ溝の一方は、前記第２方向で見た両端が、前記第２方向に直交する第３方向における一方側へと傾斜し、
前記両上面リブ溝の他方は、前記第２方向で見た両端が、前記第３方向における他方側へと傾斜し、
前記各干渉突起は、前記各上面リブ溝の内側から前記各上面リブ溝の各傾斜箇所に接触すべく前記各傾斜箇所に対応する位置に設けられていることを特徴とするキャリングケース。
【請求項２】
前記上面は、前記第１方向で見て四角形状を呈し、
前記両上面リブ溝は、前記第２方向で見た両端が、前記上面における各隅部へ向けて傾斜していることを特徴とする請求項１に記載のキャリングケース。
【請求項３】
前記底面は、前記第１方向で見て四角形状を呈し、
前記底面には、前記第１方向で見て前記両上面リブ溝と等しい形状の２つの底面リブ溝が設けられ、
前記各干渉突起は、前記各底面リブ溝に設けられていることを特徴とする請求項２に記載のキャリングケース。
【請求項４】
前記各干渉突起は、前記第３方向で前記上面リブ溝に嵌る大きさ寸法であることを特徴とする請求項１から請求項３のいずれか１項に記載のキャリングケース。
【請求項５】
前記各干渉突起は、複数の細長い突条部を組み合わせて形成されたことを特徴とする請求項４に記載のキャリングケース。
【請求項６】
前記各干渉突起では、前記各突条部における前記第１方向への突出端面で、対応する前記上面リブ溝の底壁面に面接触することを特徴とする請求項５に記載のキャリングケース。
【請求項７】
前記上面には、前記第１方向に突出し、前記第２方向に伸びつつ前記第２方向で見た両端が前記第３方向へと傾斜する２つのリブ突起が設けられ、
前記両上面リブ溝は、前記両リブ突起の中央を凹ませて形成されたことを特徴とする請求項１から請求項６のいずれか１項に記載のキャリングケース。
【請求項８】
前記各リブ突起を側方リブ突起とし、
前記上面には、前記第３方向で見た前記両側方リブ突起の間で、前記第１方向に突出しつつ前記第２方向に伸びる中央リブ突起が設けられ、
前記中央リブ突起は、前記第１方向への突出量が前記両側方リブ突起よりも小さいことを特徴とする請求項７に記載のキャリングケース。
【請求項９】
前記中央リブ突起には、中央を凹ませつつ前記第２方向に伸びる中央リブ溝が設けられていることを特徴とする請求項８に記載のキャリングケース。
【請求項１０】
前記中央リブ突起は、伸びる方向に直交する断面で見た外形が四角形状を呈し、前記上面から立ち上がる両基端箇所の丸みよりも突出端側の両突出端箇所の丸みの方が大きいことを特徴とする請求項８または請求項９に記載のキャリングケース。
【発明の詳細な説明】
【技術分野】
【０００１】
本発明は、キャリングケースに関する。
【背景技術】
【０００２】
測量では、測量を行う現場にトータルステーションのような測量機を持ち運ぶ必要がある。このため、測量機を収容可能なキャリングケースを用いることが考えられる（例えば、特許文献１参照）。このようなキャリングケースでは、測量機を収容することで、その測量機を保護しつつ持ち運ぶことが容易となる。
【先行技術文献】
【特許文献】
【０００３】
【特許文献１】特開２００３−０９０７２４号公報
【発明の概要】
【発明が解決しようとする課題】
【０００４】
ところで、測量機では、複数台を用いる場面があるため、移動や保管の際にそれぞれがキャリングケースに収容された状態で集められるので、複数を重ねることのできる構造とすることが望ましい。ところが、上記したキャリングケースでは、複数を重ねるための構造を有しておらず、重ねられた状態で互いの位置ずれが生じると高い所から落下することとなり、収容する精密機器である測量機の故障を招く虞がある。このため、キャリングケースでは、複数を重ねた際の互いの位置ずれが生じることを防止する観点から改善の余地がある。
【０００５】
本発明は、上記の事情に鑑みて為されたもので、位置ずれを生じさせることなく複数を重ねることのできるキャリングケースを提供することを目的とする。
【課題を解決するための手段】
【０００６】
上記した課題を解決するために、本願発明のキャリングケースは、平坦な上面と平坦な底面とが第１方向で並列され、前記上面には、前記第１方向に直交する第２方向に伸びつつ前記第１方向に凹む２つの上面リブ溝が設けられ、前記底面には、前記第１方向に突出する４つの干渉突起が設けられ、前記両上面リブ溝の一方は、前記第２方向で見た両端が、前記第２方向に直交する第３方向における一方側へと傾斜し、前記両上面リブ溝の他方は、前記第２方向で見た両端が、前記第３方向における他方側へと傾斜し、前記各干渉突起は、前記各上面リブ溝の内側から前記各上面リブ溝の各傾斜箇所に接触すべく前記各傾斜箇所に対応する位置に設けられていることを特徴とする。
【発明の効果】
【０００７】
本発明のキャリングケースによれば、位置ずれを生じさせることなく複数を重ねることができる。
【図面の簡単な説明】
【０００８】
【図１】本発明に係るキャリングケースの一例としての実施例のキャリングケース１０を上面１５側から見た様子を示す説明図である。
【図２】キャリングケース１０を底面１６側から見た様子を示す説明図である。
【図３】上面中央リブ突起２１および両上面側方リブ突起２３をＸ方向正側から見た様子（端面図）で示す説明図である。
【図４】底面１６に設けた干渉突起３５を拡大して示す説明図である。
【図５】キャリングケース１０を重ねた様子を示す説明図である。
【図６】両上面リブ溝２４と各干渉突起３５とにより位置ずれが防止される様子を示す説明図である。
【図７】キャリングケース１０にベルト部材４３を取り付けた状態を示す説明図である。
【発明を実施するための形態】
【０００９】
以下に、本願発明に係るキャリングケースの実施の形態について図面を参照しつつ説明する。
【実施例】
【００１０】
本願発明に係るキャリングケースの一例としてのキャリングケース１０の概略的な構成について、図１から図７を用いて説明する。なお、図６では、両上面リブ溝２４と各干渉突起３５との作用を説明するために、Ｚ方向で重ねた２つのキャリングケース１０において、Ｚ方向正側から見た下側に位置するキャリングケース１０の上面１５（第１外殻部１１）に、上側に位置するキャリングケース１０の底面１６（第２外殻部１２）に設けた各干渉突起３５を二点鎖線で重ねて示す。
【００１１】
キャリングケース１０は、物品を収容することで当該物品を保護しつつ持ち運びを容易とするものであり、本実施例ではトータルステーション等の測量機を収容する。このキャリングケース１０は、図１および図２に示すように、収容空間を形成すべく第１外殻部１１と第２外殻部１２とを閉じ合わせて構成する。以下の説明では、収容状態で第１外殻部１１と第２外殻部１２とが対向する方向をＺ方向とし、第１外殻部１１側をＺ方向正側とする。また、キャリングケース１０が置かれた面に沿う方向であってＺ方向と直交する方向をＸ方向とし、図１を正面視した手前側をＸ方向正側とする。さらに、Ｘ方向およびＺ方向に直交する方向をＹ方向とし、図１および図２を正面視した上側をＹ方向正側とする。
【００１２】
第１外殻部１１および第２外殻部１２は、それぞれが椀形状を呈し、本実施例では樹脂材料から射出成型により形成する。この第１外殻部１１と第２外殻部１２とは、Ｙ方向負側の端部に設けた蝶番を介して開閉自在に連結され、Ｙ方向正側の端部に設けた固定具１３により閉じ合わされた状態で固定される。第１外殻部１１と第２外殻部１２とは、本実施例では、閉じ合わせた状態においてＸ方向に長尺な直方体形状を呈し、Ｙ方向正側の端部に設けた把持部１４により持ち運びが可能とされる。このキャリングケース１０は、後述するように、第２外殻部１２を下側でかつ第１外殻部１１を上側にしてＺ方向に重ねられる（図５参照）。このため、キャリングケース１０では、第１外殻部１１におけるＺ方向に位置する平坦面が上面１５（図１参照）となり、第２外殻部１２におけるＺ方向に位置する平坦面が底面１６（図２参照）となる。その上面１５と底面１６とは、それぞれＸ方向およびＹ方向を含む面と平行でありＺ方向で並列し、そのＺ方向で見て四角形状を呈する。
【００１３】
その第１外殻部１１には、図１および図３に示すように、上面中央リブ突起２１と上面中央リブ溝２２と一対の上面側方リブ突起２３と一対の上面リブ溝２４と３つの取付金具２５（図１および図２参照）とが設けられる。上面中央リブ突起２１は、上面１５において、Ｙ方向で見た中央位置で、Ｚ方向正側に突出しつつＸ方向に伸びて形成し、Ｙ方向での寸法（幅寸法）およびＺ方向での寸法（高さ寸法）を全長に亘り均一とする。この上面中央リブ突起２１は、伸びる方向となるＸ方向に直交する断面で見た外形が四角形状（上面１５からＵ字形状に突出）を呈し、上面１５から立ち上がる両基端箇所２１ａの丸みよりも突出端側の両突出端箇所２１ｂの丸みの方を大きくする（図３参照）。本実施例では、両基端箇所２１ａの丸みの半径がＲであるのに対し、両突出端箇所２１ｂの丸みの半径を２Ｒとする。上面中央リブ突起２１は、Ｘ方向で見た両端が第１外殻部１１においてＸ方向に位置する両Ｘ側面１７まで伸びる。
【００１４】
この上面中央リブ突起２１に上面中央リブ溝２２を設ける。その上面中央リブ溝２２は、Ｙ方向で見た上面中央リブ突起２１の中央をＺ方向負側に凹ませつつその上面中央リブ突起２１に沿う方向（Ｘ方向）に伸びて形成する。上面中央リブ溝２２は、Ｙ方向での寸法（幅寸法）およびＺ方向での寸法（深さ寸法）を全長に亘り均一とし、本実施例では、その幅寸法を平均的な人の背中における背骨の出っ張りの受け入れを可能とする大きさとする。本実施例では、上面中央リブ溝２２には、会社名や商品名やブレンド名等を記載するプレート板２６を設けている。このプレート板２６は、上面中央リブ溝２２における深さ寸法の変化を生じさせないものとする。
【００１５】
一対の上面側方リブ突起２３は、上面中央リブ突起２１をＹ方向で挟む位置ですなわち上面中央リブ突起２１のＹ方向正側の位置とＹ方向負側の位置とで、Ｚ方向正側に突出しつつＸ方向に伸びて形成する。この両上面側方リブ突起２３は、Ｙ方向での寸法（幅寸法）およびＺ方向での寸法（高さ寸法）を全長に亘り均一とし、伸びる方向となるＸ方向に直交する断面で見て外形が四角形状（上面１５からＵ字形状に突出）を呈する。両上面側方リブ突起２３は、Ｚ方向への突出量を上面中央リブ突起２１よりも大きくする（図３参照）。この両上面側方リブ突起２３は、上面１５においてＸ方向で見た両端が上面１５（第１外殻部１１）の４つの上面隅部２７のうちの最も近いものに向けて湾曲し、その上面隅部２７上まで伸びることでＸ方向およびＹ方向に対して傾斜する。
【００１６】
この各上面側方リブ突起２３に上面リブ溝２４を設ける。その各上面リブ溝２４は、対応する上面側方リブ突起２３のＹ方向で見た中央をＺ方向負側に凹ませつつその上面側方リブ突起２３に沿う方向（基本的にＸ方向）に伸びて形成する。各上面リブ溝２４は、Ｙ方向での寸法（幅寸法）およびＺ方向での寸法（深さ寸法）を全長に亘り均一とし、上面側方リブ突起２３に対してＺ方向負側に凹む底壁面２４ａをＸ方向およびＹ方向を含む面に平行で平坦とする。このため、各上面リブ溝２４は、図１に示すように、Ｘ方向で見た中央箇所がＸ方向に伸び、Ｘ方向で見た両端箇所が対応する上面側方リブ突起２３に倣って湾曲して上面１５（第１外殻部１１）の対応する上面隅部２７へ向かい当該上面隅部２７上まで伸びる。これにより、各上面リブ溝２４では、湾曲が始まる上面湾曲起点２４ｂから対応する上面隅部２７に至る間が、Ｘ方向およびＹ方向に対して傾斜する上面傾斜箇所２８となる。その上面傾斜箇所２８は、少なくとも一部が上面１５に位置する。これにより、Ｙ方向正側の上面リブ溝２４では、Ｘ方向正側の上面傾斜箇所２８がＸ方向正側でかつＹ方向正側の上面隅部２７（２７１）上へ、Ｘ方向負側の上面傾斜箇所２８がＸ方向負側でかつＹ方向正側の上面隅部２７（２７２）上へ、と夫々向かう。また、Ｙ方向負側の上面リブ溝２４は、Ｘ方向正側の上面傾斜箇所２８がＸ方向正側でかつＹ方向負側の上面隅部２７（２７３）上へ、Ｘ方向負側の上面傾斜箇所２８がＸ方向負側でかつＹ方向負側の上面隅部２７（２７４）上へ、と夫々向かう。
【００１７】
３つの取付金具２５は、図１および図２に示すように、第１外殻部１１における環状リブ突起２９に設ける。各取付金具２５は、金属材料から形成された棒状の部材をＵ字状に湾曲させて形成し、環状リブ突起２９からＺ方向正側に向けて突出して設ける。取付金具２５は、１つをＸ方向正側のＸ側面１７に設け（図１参照）、２つをＸ方向負側のＸ側面１７でＹ方向に並列させて設ける（図２参照）。この各取付金具２５は、後述するベルト部材４３（図７参照）の取り付け箇所となる。
【００１８】
第２外殻部１２には、図２に示すように、底面中央リブ突起３１と底面中央リブ溝３２と一対の底面側方リブ突起３３と一対の底面リブ溝３４と４つの干渉突起３５とが設けられる。底面中央リブ突起３１は、底面１６において、Ｙ方向で見た中央位置で、Ｚ方向負側に突出しつつＸ方向に伸びて形成し、Ｙ方向での寸法（幅寸法）およびＺ方向での寸法（高さ寸法）を全長に亘り均一とする。この底面中央リブ突起３１は、Ｘ方向で見た両端が第２外殻部１２においてＸ方向に位置する両Ｘ側面１８まで伸びる。
【００１９】
この底面中央リブ突起３１に底面中央リブ溝３２を設ける。その底面中央リブ溝３２は、Ｙ方向で見た底面中央リブ突起３１の中央をＺ方向正側に凹ませつつその底面中央リブ突起３１に沿う方向（Ｘ方向）に伸びて形成する。底面中央リブ溝３２は、Ｙ方向での寸法（幅寸法）およびＺ方向での寸法（深さ寸法）を全長に亘り均一とする。
【００２０】
一対の底面側方リブ突起３３は、底面中央リブ突起３１をＹ方向で挟む位置ですなわち底面中央リブ突起３１のＹ方向正側とＹ方向負側との位置で、Ｚ方向負側に突出しつつＸ方向に伸びて形成する。この両底面側方リブ突起３３は、Ｙ方向での寸法（幅寸法）およびＺ方向での寸法（高さ寸法）を全長に亘り均一とし、伸びる方向となるＸ方向に直交する断面で見て外形が四角形状（底面１６からＵ字形状に突出）を呈する。両底面側方リブ突起３３は、底面１６においてＸ方向で見た両端が底面１６（第２外殻部１２）の４つの底面隅部３６のうちの最も近いものに向けて湾曲し、Ｘ方向およびＹ方向に対して傾斜しつつその底面隅部３６上まで伸びる。
【００２１】
この各底面側方リブ突起３３に底面リブ溝３４を設ける。その各底面リブ溝３４は、対応する底面側方リブ突起３３のＹ方向で見た中央をＺ方向正側に凹ませつつその底面側方リブ突起３３に沿う方向（基本的にＸ方向）に伸びて形成する。各底面リブ溝３４は、Ｙ方向での寸法（幅寸法）およびＺ方向での寸法（深さ寸法）を全長に亘り均一とする。このため、各底面リブ溝３４は、Ｘ方向で見た中央箇所がＸ方向に伸び、Ｘ方向で見た両端箇所が対応する底面側方リブ突起３３に倣って湾曲して底面１６（第２外殻部１２）の対応する底面隅部３６へ向かい当該底面隅部３６上まで伸びる。これにより、各底面リブ溝３４では、湾曲が始まる底面湾曲起点３４ａから対応する底面隅部３６に至る間が、Ｘ方向およびＹ方向に対して傾斜する底面傾斜箇所３７となる。その底面傾斜箇所３７は、少なくとも一部が底面１６に位置する。これにより、Ｙ方向正側の底面リブ溝３４では、Ｘ方向負側の底面傾斜箇所３７がＸ方向負側でかつＹ方向正側の底面隅部３６（３６１）上へ、Ｘ方向正側の底面傾斜箇所３７がＸ方向正側でかつＹ方向正側の底面隅部３６（３６２）上へ、と向かう。また、Ｙ方向負側の底面リブ溝３４は、Ｘ方向負側の底面傾斜箇所３７がＸ方向負側でかつＹ方向負側の底面隅部３６（３６３）上へ、Ｘ方向正側の底面傾斜箇所３７がＸ方向正側でかつＹ方向負側の底面隅部３６（３６４）上へ、と向かう。
【００２２】
本実施例では、Ｚ方向で見ると、底面中央リブ突起３１および底面中央リブ溝３２が、第１外殻部１１に設けた上面中央リブ突起２１および上面中央リブ溝２２と一致し、両底面側方リブ突起３３および両底面リブ溝３４が、第１外殻部１１に設けた両上面側方リブ突起２３および両上面リブ溝２４と一致する。このため、キャリングケース１０では、上面１５側から見ても底面１６側から見ても略等しい印象を与えることができる。
【００２３】
その両底面リブ溝３４に４つの干渉突起３５を設ける。その干渉突起３５は、各底面リブ溝３４からＺ方向負側に両底面側方リブ突起３３よりも突出して設ける。その各干渉突起３５は、設けた位置と向きとが異なることを除くと、互いに等しい形状であるので、図２における右上の干渉突起３５を拡大して示す図４を用いて構造を説明する。
【００２４】
干渉突起３５は、本実施例では、図４に示すように、Ｘ方向に伸びつつＺ方向負側に突出する３つのＸ突条部４１を、Ｙ方向に伸びつつＺ方向負側に突出するＹ突条部４２で繋いで構成する。そのＹ突条部４２は、底面リブ溝３４内をＹ方向に架け渡す細長い板状を呈し、両底面側方リブ突起３３よりもＺ方向負側に突出し、Ｘ方向およびＹ方向を含む面に平行で平坦な突出端面４２ａを有する。干渉突起３５は、本実施例では、底面リブ溝３４において、底面傾斜箇所３７の開始位置となる底面湾曲起点３４ａにＹ突条部４２を位置させ、かつＸ方向に伸びる箇所に各Ｘ突条部４１を位置させる。
【００２５】
３つのＸ突条部４１は、Ｘ方向に伸びる細長い板状を呈し、両底面側方リブ突起３３よりもＺ方向負側に突出しつつＹ方向で並列して設けられる。この各Ｘ突条部４１は、個別に示す際には、Ｙ方向正側の端部に位置するものをＸ突条部４１１とし、Ｙ方向負側の端部に位置するものをＸ突条部４１２とし、Ｙ方向の真ん中に位置するものをＸ突条部４１３とする。その両端の２つのＸ突条部４１１、４１２は、底面リブ溝３４の両側壁面３４ｂに近接して設け、Ｙ突条部４２の突出端面４２ａと連続する突出端面４１１ａ、４１２ａを有する。この両突出端面４１１ａ、４１２ａは、Ｙ突条部４２の突出端面４２ａと等しい高さ位置でかつ平行な同一の平面を形成し、Ｙ突条部４２（突出端面４２ａ）の近傍に位置する。このため、各Ｘ突条部４１（干渉突起３５）は、対応する底面リブ溝３４の内方においてＹ方向で嵌るように設けられている。各Ｘ突条部４１は、Ｘ方向で底面１６（第２外殻部１２）の内側に向かうに連れてＺ方向負側への突出量を漸減させる。そして、両Ｘ突条部４１１、４１２では、突出端面４１１ａ、４１２ａの端部が漸減の起点となり、Ｘ突条部４１３では、Ｙ突条部４２の突出端面４２ａの端部が漸減の起点となる。
【００２６】
このような構成であるため、図５に示すように、一方の上面１５の上に他方の底面１６を載せるように２つのキャリングケース１０をＺ方向で重ねると、互いの位置ずれを防止できる。これは、以下のことによる。Ｚ方向で見て第２外殻部１２の両底面リブ溝３４を第１外殻部１１の両上面リブ溝２４と一致させているので、図６に示すように、上側のキャリングケース１０の各底面リブ溝３４の各底面湾曲起点３４ａ（図２参照）に設けた各干渉突起３５が、下側のキャリングケース１０の各上面リブ溝２４の各上面湾曲起点２４ｂに個別に対応する。そして、各干渉突起３５は、両底面側方リブ突起３３よりもＺ方向負側に突出しかつ両底面リブ溝３４の内方においてＹ方向で嵌るように設けられているので、対応する上面リブ溝２４に嵌りつつその上面湾曲起点２４ｂに接触する。すると、各干渉突起３５は、Ｙ突条部４２の突出端面４２ａとＸ突条部４１１、４１２の突出端面４１１ａ、４１２ａ（図４参照）とがＸ方向およびＹ方向を含む面に平行で平坦であるので、同じくＸ方向およびＹ方向を含む面に平行で平坦な上面リブ溝２４の底壁面２４ａに面で接触する。
【００２７】
このため、各干渉突起３５を接触させた上側のキャリングケース１０では、次のように下側のキャリングケース１０に対する移動が制限される。Ｘ方向正側でＹ方向正側の干渉突起３５は、Ｙ方向正側（一方）の上面リブ溝２４におけるＸ方向正側の上面湾曲起点２４ｂに接触して、Ｘ方向正側およびＹ方向負側への移動を制限する（図６の矢印Ａ１参照）。Ｘ方向負側でＹ方向正側の干渉突起３５は、Ｙ方向正側（一方）の上面リブ溝２４におけるＸ方向負側の上面湾曲起点２４ｂに接触して、Ｘ方向負側およびＹ方向負側への移動を制限する（図６の矢印Ａ２参照）。Ｘ方向正側でＹ方向負側の干渉突起３５は、Ｙ方向負側（他方）の上面リブ溝２４におけるＸ方向正側の上面湾曲起点２４ｂに接触して、Ｘ方向正側およびＹ方向正側への移動を制限する（図６の矢印Ａ３参照）。Ｘ方向負側でＹ方向負側の干渉突起３５は、Ｙ方向負側（他方）の上面リブ溝２４におけるＸ方向負側の上面湾曲起点２４ｂに接触して、Ｘ方向負側およびＹ方向正側への移動を制限する（図６の矢印Ａ４参照）。これらのように、上側に位置するキャリングケース１０の４つの干渉突起３５が、下側に位置するキャリングケース１０の２つの上面リブ溝２４に嵌り込んでＸ方向およびＹ方向へと相対的に移動することを防止し、互いの位置ずれを防止する。このことは、２つ以上のキャリングケース１０を重ねた場合であっても、Ｚ方向で隣接するものの間では同様の作用を得ることができ、同様に互いの位置ずれを防止できる。このため、キャリングケース１０では、Ｚ方向が第１方向として機能し、Ｘ方向が第２方向として機能し、Ｙ方向が第３方向として機能する。
【００２８】
また、キャリングケース１０では、図７に示すように、ベルト部材４３を取り付けることができる。このベルト部材４３は、キャリングケース１０を背負うために取り付けるものであり、本実施例では、ベルト部４４に３つのフック部４５を設けて構成している。そのベルト部４４では、Ｙ方向で並列しつつＸ方向に平行に伸びる帯状を呈し、Ｘ方向正側の端部が１つに纏められ、そこに単一のフック部４５が設けられる。また、ベルト部４４では、Ｙ方向で並列するそれぞれのＸ方向負側の端部に単一のフック部４５が設けられる。その各フック部４５は、キャリングケース１０の第１外殻部１１に設けた各取付金具２５への取り付けと、その状態からの取り外しと、が可能である。このため、ベルト部材４３は、Ｘ方向正側のフック部４５が第１外殻部１１におけるＸ方向正側の取付金具２５に取り付けられるとともに、Ｘ方向負側の２つのフック部４５が第１外殻部１１におけるＸ方向負側の２つの取付金具２５に個別に取り付けられることで、キャリングケース１０を背負うことを可能とする。これにより、キャリングケース１０では、持ち運ぶことをより容易とすることができる。なお、キャリングケース１０では、取付金具２５を利用して上面１５に衝撃吸収材を取り付けることで、持ち運ぶ際の負担をより軽減することができる。
【００２９】
本発明に係るキャリングケースの一実施例としてのキャリングケース１０では、一方の上面１５の上に他方の底面１６を載せるように２つをＺ方向で重ねると、両端がＹ方向正側へと傾斜する一方の上面リブ溝２４の両上面傾斜箇所２８に２つの干渉突起３５が接触し、両端がＹ方向負側へと傾斜する他方の上面リブ溝２４の両上面傾斜箇所２８に残りの２つの干渉突起３５が接触する。このため、キャリングケース１０では、重ねたキャリングケース１０との間において、Ｘ方向およびＹ方向を含む面に沿う相対的な移動を防止することができ、位置ずれが生じることを防止できる。
【００３０】
また、キャリングケース１０では、Ｚ方向で重ねた際に、上側の底面１６に設けた各干渉突起３５を、下側の上面１５に設けた各上面リブ溝２４（その各上面傾斜箇所２８）に接触させることで、位置ずれを防止する。このため、キャリングケース１０では、上面１５に各上面リブ溝２４を設ければよいので、各干渉突起３５を受け入れるためだけの凹所を形成する場合とは異なり、各干渉突起３５が接触する箇所を全体の意匠の中に紛れさせることができ、設計の自由度を高めつつ意匠性を向上させることができる。また、キャリングケース１０では、上面１５（第１外殻部１１）に設けた各上面リブ溝２４を利用するので、上面１５（第１外殻部１１）の強度を向上させつつ、各干渉突起３５が接触する箇所を形成することができる。
【００３１】
さらに、キャリングケース１０では、Ｚ方向で重ねた際に、上側の４つの干渉突起３５を下側の２つの上面リブ溝２４の各上面傾斜箇所２８に接触させて、Ｘ方向およびＹ方向を含む面に沿う相対的な移動を防止するので、１つの方向への相対的な移動を２つの干渉突起３５で制限できる。このため、キャリングケース１０では、より確実に位置ずれが生じることを防止できる。
【００３２】
キャリングケース１０では、四角形状の上面１５（第１外殻部１１）において、Ｙ方向正側の上面リブ溝２４のＸ方向で見た両端をＹ軸方向正側の両上面隅部２７に向けて傾斜させ、Ｙ方向負側の上面リブ溝２４のＸ方向で見た両端をＹ軸方向負側の両上面隅部２７に向けて傾斜させる。このため、キャリングケース１０では、Ｘ方向に伸びる２つの上面リブ溝２４を、違和感なくＹ方向の正側と負側とに傾斜させることができ、各干渉突起３５が接触する各上面傾斜箇所２８を設けることができる。また、キャリングケース１０では、上面１５における両上面リブ溝２４の形状を、中心位置からＸ方向およびＹ方向に伸びる直線に関して線対称とすることができ、意匠性をさらに向上させることができる。さらに、キャリングケース１０では、両上面リブ溝２４により、各上面隅部２７の強度を併せて向上させることができる。
【００３３】
キャリングケース１０では、両上面リブ溝２４と等しい形状の２つの底面リブ溝３４を底面１６に設け、その各底面リブ溝３４に各干渉突起３５を設けている。このため、キャリングケース１０では、上面１５と底面１６との構成を略等しくできるので、さらに意匠性を向上させることができるとともに、各干渉突起３５を両上面リブ溝２４の各上面傾斜箇所２８に容易に対応させることができる。
【００３４】
キャリングケース１０では、各干渉突起３５をＹ方向で見て両上面リブ溝２４に嵌る大きさ寸法としている。このため、キャリングケース１０では、各干渉突起３５と各上面リブ溝２４とをＹ方向で見た両側で接触させることができ、各干渉突起３５および各上面リブ溝２４に掛かる力を分散させることができ、重ねた際のＹ方向への移動をより確実に防止できる。また、キャリングケース１０では、各上面リブ溝２４にＹ方向で見た大きさ寸法で各干渉突起３５を対応する上面リブ溝２４（その底壁面２４ａ）に接触させることができ、各干渉突起３５および各上面リブ溝２４（底壁面２４ａ）に掛かる力を分散させることができ、それらが削れることを抑制できる。
【００３５】
キャリングケース１０では、複数の細長い突条部（実施例では、３つのＸ突条部４１とＹ突条部４２）を組み合わせて、各干渉突起３５を形成する。このため、キャリングケース１０では、各干渉突起３５が削れてしまった場合であっても当該各干渉突起３５すなわち第２外殻部１２に穴が開くことを防止しつつ、各干渉突起３５をＹ方向で見て両上面リブ溝２４に嵌る大きさ寸法にできる。これは、次のことによる。各干渉突起（３５）をＹ方向で見て両上面リブ溝２４に嵌る大きさ寸法とするには、その大きさ寸法の直方体形状の突起とすることが考えられる。その場合、第２外殻部１２を射出成型で形成しているため、各干渉突起（３５）が直方体形状の空洞の突起となるので、各干渉突起（３５）を形成する箇所の厚さが薄く、削れることで穴が開く虞がある。これに対し、各干渉突起３５では、複数の細長い突条部（４１、４２）を組み合わせることでＹ方向で見て両上面リブ溝２４に嵌る大きさ寸法とするので、各突条部を材料（樹脂）で充填することができ、削れた場合であっても穴が開くことを防止できる。
【００３６】
キャリングケース１０では、各突条部（４１、４２）の突出端面（実施例では、突出端面４２ａ、４１１ａ、４１２ａ）を、上面リブ溝２４の底壁面２４ａに面接触させる。このため、キャリングケース１０では、各干渉突起３５における上面リブ溝２４（底壁面２４ａ）への接触面積を大きくすることができ、掛かる力を分散でき、削れることをより抑制することができる。
【００３７】
キャリングケース１０では、両底面リブ溝３４において、底面傾斜箇所３７の開始位置となる底面湾曲起点３４ａにＹ突条部４２を位置させ、かつＸ方向に伸びる箇所に各Ｘ突条部４１を位置させて、各干渉突起３５を設けている。このため、キャリングケース１０では、各干渉突起３５（そのＹ突条部４２）を各上面リブ溝２４の各上面湾曲起点２４ｂに接触させることができ、Ｙ方向に加えてＸ方向への移動を制限することができる。また、キャリングケース１０では、各干渉突起３５が両底面リブ溝３４におけるＸ方向に伸びる箇所に存在するので、その各干渉突起３５の位置が製造誤差等によりＸ方向に変位した場合であっても、Ｚ方向に重ねた際に各上面リブ溝２４に嵌ることができ、位置ずれが生じることを防止できる。
【００３８】
キャリングケース１０では、Ｘ方向に伸びる２つの上面側方リブ突起２３のＹ方向で見た中央をＺ方向負側に凹ませて両上面リブ溝２４を形成している。このため、キャリングケース１０では、両上面リブ溝２４を全体の意匠の中により紛れさせることができ、かつ上面１５（第１外殻部１１）の強度をさらに向上させることができる。これにより、キャリングケース１０では、設計の自由度を高めつつ意匠性を向上させることができるとともに、重ねた際に位置ずれが生じることを防止できる。
【００３９】
キャリングケース１０では、Ｘ方向に伸びる２つの底面側方リブ突起３３のＹ方向で見た中央をＺ方向正側に凹ませて両底面リブ溝３４を形成し、その両底面リブ溝３４に各干渉突起３５を設けている。このため、キャリングケース１０では、両底面リブ溝３４および各干渉突起３５を全体の意匠の中により紛れさせることができ、かつ底面１６（第２外殻部１２）の強度をさらに向上させることができる。特に、キャリングケース１０では、Ｚ方向で見て両底面側方リブ突起３３および両底面リブ溝３４を、両上面側方リブ突起２３および両上面リブ溝２４と一致させているので、上面１５（第１外殻部１１）と底面１６（第２外殻部１２）との印象を略等しくできる。これにより、キャリングケース１０では、設計の自由度をより高めつつ意匠性をより向上させることができ、重ねた際に位置ずれが生じることを防止できる。
【００４０】
キャリングケース１０では、上面１５において、Ｙ方向で見て両上面側方リブ突起２３の間にＺ方向に突出しかつＸ方向に伸びる上面中央リブ突起２１を設け、その上面中央リブ突起２１のＺ方向への突出量を両上面側方リブ突起２３よりも小さくしている。このため、キャリングケース１０では、Ｘ方向を鉛直方向に向けた状態において、上面１５を水平方向（Ｙ方向）で見た両側に対して中央を凹ませることができ、上面１５の形状を背中の形状に合わせることができる。これにより、キャリングケース１０では、各取付金具２５に取り付けたベルト部材４３を用いつつＸ方向を鉛直方向に向けて背負う際に、上面１５を背中に宛がいつつ重量物を背負うことに起因する負荷を低減することができ、背負うことでの持ち運びを容易とすることができる。このことは、上記した衝撃吸収材を取り付けた場合でも同様である。
【００４１】
キャリングケース１０では、上面中央リブ突起２１のＹ方向で見た中央をＺ方向負側に凹ませて上面中央リブ溝２２を形成している。このため、キャリングケース１０では、Ｘ方向に伸びる上面中央リブ突起２１を、同じくＸ方向に伸びて上面リブ溝２４が設けられた両上面側方リブ突起２３と同様の構成とすることができる。これにより、キャリングケース１０では、上面１５（第１外殻部１１）の強度をさらに向上させつつ、意匠性をより向上させることができる。
【００４２】
キャリングケース１０では、上面１５において、Ｙ方向で見て両上面側方リブ突起２３の間にＺ方向に突出しかつＸ方向に伸びる上面中央リブ突起２１を設け、その上面中央リブ突起２１のＹ方向で見た中央をＺ方向正側に凹ませて上面中央リブ溝２２を形成している。このため、キャリングケース１０では、各取付金具２５に取り付けたベルト部材４３を用いつつＸ方向を鉛直方向に向けて背負い背中を上面１５に宛がった際に、背骨を上面中央リブ溝２２で受け入れて当該背骨に上面１５（その上面中央リブ溝２２）が当たることを防止できる。これにより、キャリングケース１０では、各取付金具２５に取り付けたベルト部材４３を用いつつＸ方向を鉛直方向に向けて背負う際に、背骨が上面１５に当たることに起因する負荷を防止することができ、背負うことでの持ち運びがより容易となる。このことは、上記した衝撃吸収材を取り付けた場合でも同様である。
【００４３】
キャリングケース１０では、底面中央リブ突起３１に底面中央リブ溝３２を形成したので、Ｘ方向に伸びる底面中央リブ突起３１を、同じくＸ方向に伸びて底面リブ溝３４が設けられた両底面側方リブ突起３３と同様の構成とすることができる。特に、キャリングケース１０では、Ｚ方向で見て、底面中央リブ突起３１および底面中央リブ溝３２を上面中央リブ突起２１および上面中央リブ溝２２と一致させ、両底面側方リブ突起３３および両底面リブ溝３４を両上面側方リブ突起２３および両上面リブ溝２４と一致させているので、上面１５（第１外殻部１１）と底面１６（第２外殻部１２）との印象を略等しくできる。これにより、キャリングケース１０では、設計の自由度をより高めつつ意匠性をより向上させることができ、重ねた際に位置ずれが生じることを防止できる。
【００４４】
キャリングケース１０では、上面中央リブ突起２１における両基端箇所２１ａの丸みよりも突出端側の両突出端箇所２１ｂの丸みの方を大きくしている。このため、キャリングケース１０では、各取付金具２５に取り付けたベルト部材４３を用いつつＸ方向を鉛直方向に向けて背負い背中を上面１５に宛がった際に、上面中央リブ突起２１の両突出端箇所２１ｂが背中に当たることに起因する負荷を低減することができ、背負うことでの持ち運びを容易とすることができる。このことは、上記した衝撃吸収材を取り付けた場合でも同様である。
【００４５】
したがって、本発明に係るキャリングケースの一実施例としてのキャリングケース１０では、位置ずれを生じさせることなく複数を重ねることができる。
【００４６】
なお、上記した実施例では、本発明に係るキャリングケースの一実施例としてのキャリングケース１０について説明したが、平坦な上面と平坦な底面とが第１方向で並列され、前記上面には、前記第１方向に直交する第２方向に伸びつつ前記第１方向に凹む２つの上面リブ溝が設けられ、前記底面には、前記第１方向に突出する４つの干渉突起が設けられ、前記両上面リブ溝の一方は、前記第２方向で見た両端が、前記第２方向に直交する第３方向における一方側へと傾斜し、前記両上面リブ溝の他方は、前記第２方向で見た両端が、前記第３方向における他方側へと傾斜し、前記各干渉突起は、前記各上面リブ溝の内側から前記各上面リブ溝の各傾斜箇所に接触すべく前記各傾斜箇所に対応する位置に設けられているキャリングケース、あるいは、平坦な上面と平坦な底面とが第１方向で並列され、前記上面には、前記第１方向に直交する第２方向に伸びつつ前記第１方向に凹む上面リブ溝が設けられ、前記底面には、前記第１方向に突出する２つの干渉突起が設けられ、前記上面リブ溝は、前記第２方向に直交する第３方向における一方側へと傾斜する傾斜箇所と、前記第３方向における他方側へと傾斜する傾斜箇所と、を有し、前記干渉突起の一方は、前記各傾斜箇所のいずれかに接触することで、前記第２方向の一方側および前記第３方向の一方側への移動を制限し、前記干渉突起の他方は、前記各傾斜箇所の残りのいずれかに接触することで、前記第２方向の他方側および前記第３方向の他方側への移動を制限するキャリングケースであればよく、上記した実施例に限定されない。
【００４７】
また、上記した実施例では、各上面リブ溝２４のＸ方向で見た両端を、上面湾曲起点２４ｂで湾曲させていたが、Ｘ方向およびＹ方向に対して傾斜して伸びる上面傾斜箇所２８を有するものであれば、例えば、屈曲させてもよく、他の態様でもよく、上記した実施例に限定されない。加えて、上記した実施例では、Ｙ方向正側の上面リブ溝２４の両端をＹ方向正側に湾曲させ、かつＹ方向負側の上面リブ溝２４の両端をＹ方向負側に湾曲させていたが、Ｘ方向およびＹ方向に対して傾斜して伸びる上面傾斜箇所２８を有する上面リブ溝２４を有するものであれば、例えば、一方の端部をＹ方向正側に傾斜させかつ他方の端部をＹ方向負側に傾斜させてもよく、上面リブ溝２４が１つのみでもよく、他の態様でもよく、上記した実施例に限定されない。
【００４８】
さらに、上記した実施例では、両底面リブ溝３４において、底面傾斜箇所３７の開始位置となる底面湾曲起点３４ａにＹ突条部４２を位置させ、かつＸ方向に伸びる箇所に各Ｘ突条部４１を位置させて、各干渉突起３５を設けている。しかしながら、各干渉突起３５は、各上面リブ溝２４の内側から対応する上面傾斜箇所２８に接触すべく対応する位置に設ければ、例えば底面傾斜箇所３７に設けてもよく、他の構成でもよく、上記した実施例の構成に限定されない。
【００４９】
上記した実施例では、各干渉突起３５を、両底面リブ溝３４の内方においてＹ方向で嵌るように設けている。しかしながら、少なくとも１つの干渉突起３５が、上面傾斜箇所２８（上面湾曲起点２４ｂを含む）に内側から接触することで、Ｘ方向の一方側およびＹ方向の一方側への移動を制限し、かつそれとは別の少なくとも１つの干渉突起３５が、上面傾斜箇所２８（上面湾曲起点２４ｂを含む）に内側から接触することで、Ｘ方向の他方側およびＹ方向の他方側への移動を制限すればよく、上記した実施例の構成に限定されない。
【００５０】
以上、本発明のキャリングケースを実施例に基づき説明してきたが、具体的な構成については実施例に限られるものではなく、本発明の要旨を逸脱しない限り、設計の変更や追加等は許容される。
【符号の説明】
【００５１】
１０  キャリングケース
１５  上面
１６  底面
２１  （中央リブ突起の一例としての）上面中央リブ突起
２１ａ  基端箇所
２１ｂ  突出端箇所
２２  （中央リブ溝の一例としての）上面中央リブ溝
２３  （側方リブ突起の一例としての）上面側方リブ突起
２４  上面リブ溝
２４ａ  底壁面
２７  （隅部の一例としての）上面隅部
２８  （傾斜箇所の一例としての）上面傾斜箇所
３４  底面リブ溝
３５  干渉突起
４１  （突条部の一例としての）Ｘ突条部
４１１ａ  突出端面
４１２ａ  突出端面
４２  （突条部の一例としての）Ｙ突条部
４２ａ  突出端面
【図１】
0006580421.tif 000002
【図２】
0006580421.tif 000003
【図３】
0006580421.tif 000004
【図４】
0006580421.tif 000005
【図５】
0006580421.tif 000006
【図６】
0006580421.tif 000007
【図７】
0006580421.tif 000008